(57)【要約】  【課題】  ショーケースの上部に載置する計量装置の周囲に作業空間を確保して、顧客と快適に対面販売を行なうことができるシステムラックを提供する。  【解決手段】  商品を陳列するショーケースＡの上に載置し、且つ内部に対面販売用の計量装置等を収容する秤システムラックＢであって、平面視矩形状に形成した台本体１の天板１ｄに、秤装置Ｃを収容し且つ該秤装置の秤量皿が前記天板上に露出する開口部３を形成し、該台本体の顧客側に面する壁面１ｃに、前記台本体内に収容する秤装置の客側表示部C2が露出する窓孔４を開設し、更に、秤装置を収容する開口部の近傍に周辺機器或いは小物等を収容載置する空間部２ｂと、前記空間部の上面に前記秤装置を操作する作業者の作業空間を設けた。  【選択図】  図１
2010022637.tif 000002
【特許請求の範囲】
【請求項１】
商品を陳列するショーケースの上に載置し、且つ内部に対面販売用の計量装置等を収容する秤システムラックであって、
平面視矩形状に形成した台本体の天板に、秤装置を収容し且つ該秤装置の秤量皿が前記天板上に露出する開口部を形成し、該台本体の顧客側に面する壁面に、前記台本体内に収容する秤装置の客側表示部が露出する窓孔を開設し、更に、秤装置を収容する開口部の近傍に周辺機器或いは小物等を収容載置する空間部と、前記空間部の上面に前記秤装置を操作する作業者の作業空間を設けたことを特徴とする秤システムラック。
【請求項２】
前記台本体の天板上面は、前記秤装置の秤量皿が位置する開口部を除き略水平面であり、顧客側に面する壁面は台本体に収容載置する秤装置及び周辺機器の客側表示部の形態と対応する壁面部材と交換可能としたことを特徴とする請求項１記載の秤システムラック。
【請求項３】
前記台本体の周辺機器或いは小物等を収容載置する空間部を区画する顧客側に面する壁面と天板は着脱可能としたことを特徴とする請求項１又は２記載の秤システムラック。
【請求項４】
前記台本体は、該台本体内に収容載置する秤装置及び周辺機器を電気的に接続する接続手段を備えていることを特徴とする請求項１乃至３の何れか１項記載の秤システムラック。
【請求項５】
前記請求項１乃至４の何れか１項に記載の秤システムラックにおける開口部に、秤装置が収容載置されていることを特徴とする秤システム。
【発明の詳細な説明】
【技術分野】
【０００１】
本発明は商品を陳列するショーケースの上部に載せて使用される対面販売用の計量装置を載置するシステムラックに関する。
【背景技術】
【０００２】
従来、精肉や惣菜等を販売する小売店やスーパーマーケット等では、商品を陳列するショーケース（什器）の上部に計量装置（秤）を載置して対面販売を行なっている場合が多い。
ショーケース上に計量装置を載置する理由は、顧客が所望する商品の計量値と、その金額表示とが対面する顧客から見て見易く、安心して購入してもらうためでるが、顧客からの預り金及び釣銭を手渡す行為（金銭授受）もスムーズに行う必要があり、そのために前記計量装置の近傍にドロア等の周辺機器もショーケース上に並べて載置される。
また、前記ショーケース上には調味料等の小物や販促ツールなども合わせて載置するため、顧客から注文を受けた複数の商品を量り売りする作業者（店員）が商品を仮置きする作業空間が狭くなることが多い。
【０００３】
その為、前記作業空間が狭い状況で、購入商品の精算会計或いは顧客から複数の注文を受けた時に、現在計量済みの商品を一旦ショーケース上に仮置きし、次に注文された商品の計量作業をすることが多く、その仮置きする位置も危ない位置で作業をしなければならず、このときに商品を入れたトレーを転倒させてしまう危険性が高く、或いは商品を収容するパックの蓋が開いてしまい、中身の商品が外へ飛び出してしまうことがある。
このようなことが発生すると、ショーケースや周辺機器を汚損する、或いは周辺機器の故障の原因となってしまう可能性が高いのみならず、現在行なっている取引を中止せざるを得ない状況、或いは販売活動が出来ないという問題が発生する。
【０００４】
ショーケースの天板上に計量装置（秤）を載置することにより作業空間が狭くなるという問題点を解決するものとして、ショーケースの天板部分に電子秤を組み込み、その電子秤の秤量皿を該ショーケースの天板上に位置させたものが提案されている（例えば、特許文献１参照）。
しかし、特許文献１はショーケースと一体である為、客の導線に対応した売り場のレイアウトの変更において、ショーケースに対して計量装置のみを移動させることはできず、ショーケース全体を移動させる必要があり、使い勝手が悪いという問題を有する。
又、ショーケースに電子秤が一体的に内蔵されているため、計量装置が故障し買い替えが発生した場合には、前記ショーケース内に収納可能なサイズ或いは特定機種に限定されてしまうので、計量装置の選択肢に自由度がなく、購入に制限制約が生じるという欠点があった。更に、計量装置の購入先が無条件に限定（専売化）されてしまう可能性が高く、それに伴う弊害（メーカー側の言い値で製品を購入しなければならないという問題点）が発生する可能性があった。
【０００５】
【特許文献１】実公平６−１０１４号公報
【発明の開示】
【発明が解決しようとする課題】
【０００６】
本発明は上記した従来の技術が有する問題点に鑑みてなされたもので、その目的とするところは、ショーケースの上部に載置する計量装置の周囲に作業空間を確保して、顧客と快適に対面販売を行なうことができるシステムラックを提供することにある。
【課題を解決するための手段】
【０００７】
上記目的を達成する為に本発明の秤システムラックは、商品を陳列するショーケースの上に載置し、且つ内部に対面販売用の計量装置等を収容する秤システムラックであって、平面視矩形状に形成した台本体の天板に、秤装置を収容し且つ該秤装置の秤量皿が前記天板上に露出する開口部を形成し、該台本体における顧客側に面する壁面に、前記台本体内に収容する秤装置の客側表示部が露出する窓孔を開設し、更に、秤装置を収容する開口部の近傍に周辺機器或いは小物等を収容載置する空間部と、前記空間部の上面に前記秤装置を操作する作業者の作業空間を設けた構成を特徴とする（請求項１）。
本発明の秤システムラックに収容載置する秤装置は、今日一般的に使用されている電子秤で、秤量皿を挟んで一方に作業者（店員）が操作する入力操作部が、反対側に客側表示部が一体に設けられたタイプ、或いは秤装置に別体の客側表示部を電気的に接続するタイプ等、何れでもよい。
【０００８】
前記空間部に収容載置する周辺機器としては、キャッシュドロワ、プリンタ等が挙げられる。又、同空間部に収容する小物等としては、商品を収容するトレー、パック、包装紙、接着テープ等、商品の販売に使用する容器や道具等である。
前記窓孔は、開口部に収容載置する秤装置の客側表示部に表示された内容を対面する顧客から視認できるようにするもので、その窓孔は所定の大きさに開口されたまま、或いは開口部に透明部材（ガラス板、プラスチック板等）を嵌め込む等、何れでもよい。
【０００９】
上記手段によれば、市販されているショーケースの上部に本システムラックを載せ、そのシステムラックの開口部に秤装置を収容載置し、空間部にキャッシュドロワやプリンタ等の周辺機器と、トレーやパック等の小物等を収容することで、秤装置及び対面販売に使用する周辺機器、小物等を使い勝手よく配置できる。そして、システムラックの上面には秤装置の秤量皿以外に突出物はなく、安心して対面販売をすることができる作業空間を確保できる。
又、秤装置の客側表示部は該客側表示部が台本体（システムラック）内に収容された場合は窓孔を介して視認でき、客側表示部が秤装置より前方に突出する場合は前記窓孔を貫通して前方に露出され、更に客用表示部が秤装置と別体である場合は台本体の顧客側に面する壁面に固着した客用表示部が秤装置と電気的に接続されて表示される。従って、客側表示部の内容は対面する顧客から確実に視認される。
【００１０】
前記台本体の天板上面は、前記秤装置の秤量皿が位置する開口部を除き略水平面であり、顧客側に面する壁面は台本体に収容載置する秤装置及び周辺機器の客側表示部の形態と対応する壁面部材と交換可能にしてもよい（請求項２）。
前記顧客側に面する交換可能な壁面は、顧客側に面する壁面部材の全体（全長）、或いは壁面部材の一部の何れでもよい。壁面部材の一部とは、例えば、秤装置が収容配置される開口部が形成された部分の顧客側に面する範囲である。交換する壁面部材の形態としては、客側表示部を透視可能とする窓孔のサイズが異なる壁面部材、客用表示部（モニター）を備えた壁面部材などが挙げられる。
【００１１】
上記手段によれば、システムラックの上面がフラットで邪魔物が存在しない為、対面販売での各作業（トレーやパックへの商品詰め、商品の仮置き、商品の包装、金銭の授受等）を安定して行なうことができる。そして、仮に計量済みの商品が転倒しても、その平面上にはドロア等の周辺機器及び小物等が存在しない為、それらを汚損させ、或いは故障させることはない。
又、顧客側に面する壁面部材が交換可能であるため、秤装置の形態変更、或いは売り場のレイアウト変更、顧客の導線により秤装置の場所を移動するなどに対してもスムーズに対応することができる。
【００１２】
更に、前記台本体の周辺機器或いは小物等を収容載置する空間部を区画する顧客側に面する壁面と天板は着脱可能としてもよい（請求項３）。
前記空間部を区画する顧客側に面する壁面と天板は、連結された一体タイプ、或いは夫々バラバラに着脱できる分離タイプの何れでもよい。そして、台本体から取り外した部材は外したままでもよいが、取り外した部材を反転して、天板を台本体の底板上に載せ、顧客側に面する壁面を台本体の背面側に起立させてもよい。
【００１３】
上記手段によれば、システムラックの空間部には周辺機器或いは小物等を収容載置するが、その空間部を区画する顧客側に面する壁面と天板の一部又は全部を取り外すことで、前方と上方が開放された空間部となる。それにより、同部分を商品を陳列する空間として転用することができる。例えば、システムラックを載せているショーケースに精肉を陳列して販売している場合、前記転用した空間には精肉と関連する商品、焼肉のタレ、すき焼きのタレ等を陳列して効果的に販売することができる。その場合、取り外した部材を反転して底板上に載置した場合は、前記部材の内面模様、色彩等によって陳列物を効果的に演出することができる。
【００１４】
また、前記台本体は、該台本体内に収容載置する秤装置及び周辺機器を電気的に接続する接続手段を備えた構成としてもよい（請求項４）。即ち、秤装置及び周辺機器が動作するのに必要な電源を備え、更に秤装置や周辺機器を載置（配置）した時、コード等が絡まないように予めモール等の配線ガイドを設けてもよい。更に秤装置は複数台を連鎖して使用することを想定し、連鎖接続に使用するＨＵＢ（或いは中継器）を装備してもよい。
【００１５】
上記手段によれば、システムラックに電気的接続手段が設けられていることで、秤装置及び周辺機器の電源コードを接続手段（接続口）に差し込むことで、簡単に使用可能状態にすることができる。
【００１６】
更に、請求項１乃至４の何れか１項に記載の秤システムラックにおける開口部に、秤装置を収容載置して、ラックと秤装置を一体化してもよい（請求項５）。尚、秤装置のほかに周辺機器を収容載置してもよい。
【００１７】
上記手段によれば、ショーケース上に載置する対面販売用の機材とラックを使い勝手よくシステム化して提供することができる。
【発明の効果】
【００１８】
本発明の秤システムラックは請求項１記載の構成により、従来のごく一般的に市販されているショーケースを用いて、秤装置及び対面販売に使用する周辺機器、或いは小物等を使い勝手よく配置できる。そして、システムラックの上面により、秤装置の秤量皿以外に突出物はなく、安心して複数の商品注文を受けて計量販売するための商品を仮置きする作業空間を確保できる。
また、請求項２記載の構成により、システムラックの上面がフラットで邪魔物が存在しない為、対面販売での各作業を安定して行なうことができる。そして、仮に計量済みの商品が転倒しても、その平面上にはキャッシュドロワ等の周辺機器及び小物等が存在しない為、それらを汚損させ、或いは故障させることもない。
又、顧客側に面する壁面部材が交換可能であるため、秤装置の形態変更、或いは売り場のレイアウト変更、顧客の導線により秤装置の場所を移動するなどに対してもスムーズに対応することができる。
【００１９】
更に、請求項３記載の構成により、周辺機器及び小物等を収容する空間部を、商品を陳列する空間として転用することができる。
また、請求項４記載の構成により、秤装置及び周辺機器の電気的接続をコード等が絡んだりすることなく簡単に行うことができる。
そして、請求項５記載の構成とした場合は、ショーケース上に載置する対面販売用の機材とラックを使い勝手よくシステム化して提供することができる。
【発明を実施するための最良の形態】
【００２０】
以下、本発明に係る秤システムラックの実施の形態の一例を図面に基づいて説明する。
図１は秤システムラックを、市販されているショーケースの上に載置した使用状態を示す外観図で、ショーケースＡの上部に、システムラックＢを構成する台本体が載置され、そのシステムラックＢに秤装置（電子秤）Ｃ、周辺機器Ｄ、或いは小物等が収容されている。
【００２１】
前記システムラックＢは、合板、プラスチック板、或いはこれらを適宜組み合わせて平面視矩形状で後側（作業員と対面する側）が開口した扁平の箱型に形成した台本体１に、秤装置Ｃ、及び周辺機器（キャッシュドロワ、ラベルプリンタ等）Ｄ、や小物等（トレー、パック、包装紙、接着テープ等）を収容載置する空間部２が形成されて構成されている。
【００２２】
前記台本体１は、底板１ａ，側板１ｂ，前板1ｃ，天板1ｄによって後側が開口した扁平箱型に形成され、その台本体の内部は横幅方向が仕切り板１ｅで複数の空間部２に区画されている。例えば、図２に示すように、台本体１の長手方向の両側部に秤装置Ｃを収容載置する空間部２ａ，２ａ’が区画形成され、その秤装置Ｃを収容する空間部２ａ，２ａ’の間には周辺機器Ｄや小物等を収容する空間部２ｂが形成されている。尚、空間部２を区画する仕切り部材は板材に限らず、例えば円形の支柱（ポール）でもよく、天板１ｄが作業台として使用した時、撓み変形しないように支えることができればよい。
【００２３】
そして、秤装置Ｃを収容載置する空間部２ａ，２ａ’の天板１ｄには、秤装置Ｃの秤量皿C1が突出する開口部３が切欠形成され、更に該開口部３が形成された箇所の顧客側に面する壁面、即ち前板１ｃには秤装置Ｃが備える客側表示部C2が露出する窓孔４が開設されている。
【００２４】
前記開口部３は、前記天板１ｄの後端側（作業員と対面する側）から前端側（顧客と対面する側）に向かって秤装置Ｃを前記空間部２ａ，２ａ’に対して出し入れし得る大きさに開口されている。尚、秤装置Ｃを前記空間部２ａ，２ａ’に収容する方法は、前記開口ｂ３を通して上方より出し入れする方式に限らず、台本体１の後側の開口から出し入れする方式でもよい。
そして、空間部２ａ，２ａ’に秤装置Ｃを収容載置した時、該秤装置Ｃの秤量皿C1は台本体１の天板１ｄの表面より上方に突出するようにし、それにより前記秤量皿C1に商品を載せて計量した時、該秤量皿C1が下方に移動しても天板と接触せず、誤計量を生じないように構成されている。
【００２５】
前記窓孔４は、前記空間部２ａ，２ａ’に収容載置する秤装置Ｃに装備されている客側表示部C2に表示される表示内容が対面する顧客から透視確認できるようにする、又は秤装置に装備されている客側表示部C2を前板１ｃより前方（顧客側）に貫通突出させるものである。
その為、客側表示部C2が秤装置Ｃの前側面に形成され、空間部２ａ，２ａ’内に位置するタイプである場合、前記窓孔４は開口したまま（素透し）、或いは該開口部分にガラス板や透明樹脂板等の透明部材を嵌め込む等、何れでもよい（図１、図３、図４参照）。
又、客側表示部C2が秤装置Ｃより前方に張り出して取り付けられたタイプの場合は、該客側表示部を空間部２ａ，２ａ’内部から窓孔４を通して前板１ｃの前方に突出させ、顧客と対面するように配置する（図示省略）。
【００２６】
更に、前記開口部３が形成される天板１ｄは、該開口部３を除き表面がフラットな平板で構成され、それにより該天板１ｄの表面上は突起物が存在せず、作業台（作業空間）として有効に活用し得るようになっている。また、天板１ｄは台本体１の長手方向の全長が一枚板で構成されていても、或いは空間部毎に分離独立した構成としてもよい。
又、前記天板１ｄは台本体１の顧客側に面する壁面を構成する前板１ｃに連結されて側面略Ｌ字型に構成されている。尚、前板１ｃと天板１ｄは連結することなく、側板１ｂや仕切り板１ｅに対して個々に組み付けるようにしてもよい。
【００２７】
台本体１の顧客側に面する前板１ｃは前記天板１ｄと同様、台本体１の長手方向の全長を一枚板で構成してもよいが、空間部毎に分離し得るように形成してもよい。
その場合、前板１ｃは空間部２ａ，２ａ’に収容載置する秤装置Ｃが装備する客側表示部C2の形態に合わせて窓孔４の大きさが異なるものを複数枚用意し、使用する秤装置Ｃに合わせて前板１ｃを選択する。又、秤装置Ｃに別体構造の客側表示部C2’（例えば、大型の液晶表示器）を接続使用する場合、その客側表示部C2’を取り付けた前板を用意する、或いは対面する顧客に向けてレシートやレシピ等を印字発行するプリンタ（周辺機器）Ｄを取り付けた前板を用意する等、各種の前板を用意し、秤装置Ｃや周辺機器などに合わせて前板１ｃを交換する。尚、前板に取り付ける表示器は秤装置の客側表示部に限らず、宣伝広告やレシピを動画で再生するモニターであってもよい。その場合、モニターで再生するデータは秤装置から取得する、或いは上位の管理装置から取得する、外部メモリーから取得する等何れでもよい。
又、前板１ｃに客側表示部C2’を取り付ける方式としては、フック掛止め方式、ネジ止め方式等、何れでもよい。
【００２８】
又、周辺機器や小物等を収容載置する空間部２ｂ部分の前板１ｃ（顧客側に面する壁面）と天板１ｄは、着脱自在に構成されている。例えば、図４に示すように前板１ｃと天板１ｄとを連結して側面略Ｌ字型に構成し、これを空間部２ｂを区画する仕切り板１ｅに取り付けた係止ピン５に係着して空間部２ｂが区画されるように構成されており、天板１ｄを上方に持ち上げることで簡単に取り外すことができ、該空間部２ｂは前方および上方が開放した空間部となる。尚、この場合、天板１ｄは後側（作業者と対向する端縁）から前方に向かって所定の幅部分を台本体１側に固定する形態としてもよい。
【００２９】
そして、前方及び上方が開放された空間部２ｂは、例えば、ショーケースＡで販売する商品（例えば、精肉）に関連した商品（例えば、焼肉のたれ、すき焼きのたれ等）Ｗを陳列して販売する空間に転用することができる。その場合、前記取り外した前板と天板は陳列空間を演出するのに利用するようにしてもよい。例えば、着脱する前板１ｃと天板１ｄの内側面を外側面とは異なる色彩（例えば、木目調、メタリック調等）、或いは異なる素材（例えば、フィルム、布地等）を貼り合わせるなどして構成し、その取り外した部材を反転させて天板１ｄを底板１ａ上に載置し、前板１ｃを台本体１の後側の開口を閉鎖するように配置する。そして、反転載置した天板１ｄ上に商品Ｗを陳列載置することで、関連商品の陳列販売コーナとして有効活用できる。尚、前板１ｃ及び天板１ｄを外して生じる前方及び上方が開放した空間部２ｂは関連商品の陳列のみならず、レシピ等の陳列コーナ等、その活用方法は自由である。
【００３０】
又、図３に示すように、前記台本体１の内部には空間部２ａ，２ａ’に収容載置する秤装置Ｃや、空間部２ｂに収容載置されるキャッシュドロワやプリンタ等の周辺機器Ｄを電源に電気的に接続する接続手段（電源コード及びコンセント等）６が設けられている。そして、接続手段６に使用機材を接続配置した場合、コード等が絡まないように保持するモール等の配線ガイドを設けてもよい。
更に、台本体１に収容載置した複数台の秤装置Ｃを連鎖して使用し得るようにするために、連鎖接続に使用するＨＵＢ（或いは中継器）７’を備えたＬＡＮケーブル７が配設され、前記電源コードおよびＬＡＮケーブルの端部が台本体１から延長突出されている。
これにより、台本体１から延長突出する電源コード及びＬＡＮケーブルを建物内の設置場所の壁面や床面等に設けられた接続部に接続し、台本体１の空間部２に収容した秤装置Ｃや周辺機器の電源コードを前記接続手段６のコンセントに差し込み、更にＬＡＮケーブルのＨＵＢにケーブルを接続することで、電気接続を簡単且つスッキリと仕上げることができる。
図中、C3は秤装置Ｃが装備する操作表示部で、タッチパネルの表示部とテンキー等によって構成され、作業者がこれを用いて商品情報等を入力操作する。
【００３１】
上記構成の秤システムラックＢを図１に示すようにショーケースＡに載置し、その秤システムラックＢの台本体１における天板１ｄに開口部３が形成された空間部２ａ，２ａ’に秤装置Ｃを収容載置し、更に空間部２ｂに周辺機器Ｄ、及び小物等を収容すると共に各機材の電源およびＬＡＮケーブルを台本体1に装備の接続手段６、ＨＵＢ７’に接続することで使用可能な状態となる。そして、台本体1の天板1ｄ上には秤装置Ｃの秤量皿C1以外に突出物はなく、フラットな作業空間（作業台）が形成される。従って、商品の計量作業、包装作業等、対面販売の一連の作業を安定してスムーズに行ないことができる。
又、図４に示すように、周辺機器Ｄや小物等を収容する空間部２ｂは、該空間部２ｂの前板１ｃと天板１ｄを取り外すことで前方及び上方が開放された空間が現出する。従って、この空間を関連商品の陳列コーナ、レシピ陳列コーナ、顧客へのサービスコーナ等、他の用途に活用することができる。
【００３２】
本発明の秤システムラックは図示した実施の形態に限定されず、本発明の要旨を変更しない範囲で変更可能である。
（１）実施の形態で示した台本体は長手方向の両側に秤装置を収容載置する空間部が設けられているが、秤装置を収容する空間部の位置、及び数は任意であり、且つ台本体１個の長さも移動、運搬等取扱に支障とならない範囲で適宜設定する。
（２）実施の形態では周辺機器のキャッシュドロワは空間部２ｂに収容載置しているが、秤装置Ｃを収容載置する空間部２ａ，２ａ’に、秤装置Ｃの下に重ねて配置してもよい。
（３）市販されているショーケースの上に台本体を載置した時に滑らないようにする為、脚や滑り止めを台本体の下面に備えてもよい。
（４）台本体は下面に高さ調節手段を備え、作業者の身長等に応じて作業し易い高さに調整できるようにしてもよい。
（５）実施の形態では周辺機器のプリンタを前板に取り付けた例を示しているが、該プリンタを空間部２ｂ内に収容し、プリンタの発行口と連通する開口を前板に開口してもよい。
（６）実施の形態では台本体の前板が鉛直に取り付けられた状態を示しているが、該前板は前方下向きに傾斜した形態としてもよい。
（７）本実施例図１（ｂ）に記載されている前板１ｃに取り付けられた客側表示部C2’は、台本体の高さ内に収まる大きさの客側表示部が取り付けられているがこれに限らず、客側表示部C2’の取り付け方式により、台本体の下面側より下方に突出する縦長タイプの客側表示部或いは横と縦が大きなワイドサイズの客側表示部を、市販されているショーケースＡの天板部と冷気送風口或いは照明取付部が集まっている上部にかかるようガラス面に沿って取り付け配置してもよい。これにより、従来、ショーケース上部よりガラス面に沿ってＰＯＰ広告等を貼ることでデッドスペース（販売用として利用不可能であった空間）となった空間（商品陳列空間）を商品陳列空間としてそのまま利用でき、且つ顧客への告知及び視認性を、動画や文字によって更に高めることができるという効果を奏する。
【図面の簡単な説明】
【００３３】
【図１】本発明に係る秤システムラックの使用状態を示し、（ａ）は平面図、（ｂ）は正面図、（ｃ）は側面図。
【図２】秤システムラックの外観を示し、（ａ）は前側から見た斜視図、（ｂ）は後側から見た斜視図。
【図３】図１で示した秤システムラックの断面図で、（ａ）は横断平面図、（ｂ）は縦断正面図、（ｃ）は縦断側面図。
【図４】（ａ）は台本体の空間部２ｂを区画する前板と天板を外した状態を示す斜視図、（ｂ）は前板と天板を着脱する前後の状態を示す説明図。
【符号の説明】
【００３４】
Ａ…ショーケース                Ｂ…秤システムラック
Ｃ…秤装置                      Ｄ…周辺機器
１…台本体                    １ｃ…前板
１ｄ…天板                        ２…空間部
３…開口部                      ４…窓孔
６…接続手段
【図１】
2010022637.tif 000003
【図２】
2010022637.tif 000004
【図３】
2010022637.tif 000005
【図４】
2010022637.tif 000006